(57)【特許請求の範囲】
【請求項１】
陸上移動体ネットワーク（２０）の少なくとも１つのセル（１０）を操作するための方法であって、送信されるセル識別子（CSG_ID）によって各セル（１０）を識別することができ、前記セル（１０）の１つが対応する識別子（CSG_ID）を有し、かつ、セル端末（UE１、UE２、UE３）に記憶された認証セル識別子（CSG_ID１、CSG_ID２、CSG_ID３）のポジティブリストとの肯定的一致が得られたときにのみ、陸上移動体ネットワークサービスの使用のためにそれぞれのセル（１０）に前記セル端末（UE１、UE２、UE３）がログインされることによって、閉鎖的な加入者グループに前記セル（１０）の使用を限定し、あるいは使用を限定することができる方法において、
前記セル（１０）が、第１のセル識別子（CSG_ID１）に加えて、少なくとも１つのさらなるセル識別子（CSG_ID２、CSG_ID３）を並列送信すること、
それぞれのポジティブリストが前記第１のセル識別子（CSG_ID１）を含む第１のグループのセル端末（UE１）が属する第１の閉鎖的な加入者グループによって、前記セル（１０）へのログインとネットワークサービスの使用を行うことができること、および
ポジティブリストが前記少なくとも１つのさらなるセル識別子（CSG_ID２、CSG_ID３）の少なくとも１つを含む少なくとも１つの他のグループのセル端末（UE２、UE３）が属する少なくとも１つのさらなる開放的な加入者グループまたは閉鎖的な加入者グループによって、前記セル（１０）へのログインとネットワークサービスの使用を行うことができ、各セル識別子（CSG_ID２、CSG_ID３）が異なるネットワークサービスの特定のネットワークサービスに専用であり、それぞれのセル端末（UE１、UE２、UE３）に対する前記セル（１０）内での前記ネットワークサービスの１つの利用可能性が、前記陸上移動体ネットワーク（２０）へのログインのために前記セル端末（UE１、UE２、UE３）によって前記セル識別子（CSG_ID２、CSG_ID３）のどれが使用され処理されるかに依存することを特徴とする方法。
【請求項２】
前記第１のセル識別子（CSG_ID１）が前記セル（１０）の基本識別子である、請求項１に記載の方法。
【請求項３】
前記セル（１０）が、第１のセル識別子（CSG_ID１）に加えて、少なくとも１つのさらなる特別なセル識別子を並列送信して、それにより、特定のまたは任意の公共陸上移動体ネットワーク（２０）に割り当てられたセル端末（UE１、UE２、UE３）によって前記セル（１０）へのログインとネットワークサービスの使用を行うことができる、請求項１または２に記載の方法。
【請求項４】
前記セル（１０）の少なくとも１つが公共陸上移動体ネットワーク（２０）に接続され、前記公共陸上移動体ネットワーク（２０）によるネットワーク適用範囲がない領域内で前記公共陸上移動体ネットワーク（２０）を前記セル（１０）が補う、請求項１に記載の方法。
【請求項５】
セルラシステムの陸上移動体ネットワークサービスを使用するためにセル端末（UE１、UE２、UE３）がログインすることができる複数のセル（１０）を備える陸上移動体ネットワークを有するセルラシステムであって、送信されるセル識別子（CSG_ID）によって各セル（１０）を識別することができ、前記セル（１０）の１つが対応する識別子を有し、かつ、前記セル端末（UE１、UE２、UE３）に記憶された認証セル識別子（CSG_ID１、CSG_ID２、CSG_ID３）のポジティブリストとの肯定的一致が得られたときにのみ、陸上移動体ネットワークサービスを使用するためにそれぞれのセル（１０）に前記セル端末（UE１、UE２、UE３）がログインすることによって、閉鎖的な加入者グループに前記セル（１０）の使用を限定し、あるいは使用を限定することができるセルラシステムにおいて、
前記セル（１０）が、第１のセル識別子（CSG_ID１）に加えて、少なくとも１つのさらなるセル識別子（CSG_ID２、CSG_ID３）を並列送信するように設定されること、
それぞれのポジティブリストが前記第１のセル識別子（CSG_ID１）を含む第１のグループのセル端末（UE１）が属する第１の閉鎖的な加入者グループによって、前記セル（１０）へのログインと前記ネットワークサービスの使用を行うことができること、および
それぞれのポジティブリストが前記少なくとも１つのさらなるセル識別子（CSG_ID２、CSG_ID３）の少なくとも１つを含む少なくとも１つの他のグループのセル端末（UE２、UE３）が属する少なくとも１つのさらなる開放的な加入者グループまたは閉鎖的な加入者グループによって、前記セル（１０）へのログインとネットワークサービスの使用を行うことができ、各セル識別子（CSG_ID２、CSG_ID３）が異なるネットワークサービスの特定のネットワークサービスに専用であり、それぞれのセル端末（UE１、UE２、UE３）に対する前記セル（１０）内での前記ネットワークサービスの１つの利用可能性が、前記陸上移動体ネットワーク（２０）へのログインのために前記セル端末（UE１、UE２、UE３）によって前記セル識別子（CSG_ID２、CSG_ID３）のどれが使用され処理されるかに依存する、セルラシステム。
【請求項６】
前記第１のセル識別子（CSG_ID１）が前記セル（１０）の基本識別子である、請求項５に記載のシステム。
【請求項７】
前記セル（１０）が、第１のセル識別子（CSG_ID１）に加えて、少なくとも１つのさらなる特別なセル識別子を並列送信するように設定され、それにより、特定のまたは任意の公共陸上移動体ネットワーク（２０）に割り当てられたセル端末（UE１、UE２、UE３）によって、前記セル（１０）へのログインとネットワークサービスの使用を行うことができる、請求項５に記載のシステム。
【請求項８】
前記セル（１０）の少なくとも１つが公共陸上移動体ネットワーク（２０）に接続される、請求項５に記載のシステム。
【請求項９】
公共陸上移動体ネットワーク（２０）への前記接続が、ブロードバンド接続（３０）を介している、請求項８に記載のシステム。
【発明の詳細な説明】
【技術分野】
【０００１】
本発明は、セルラ陸上移動体ネットワークの１つまたは複数のセルを操作するための方法であって、送信されるセル識別子によって各セルを識別することができ、セルの１つが対応する識別子を有し、かつ、セル端末に記憶されている認証セル識別子のポジティブリストとの肯定的一致が得られたときにのみ、セル端末が、陸上移動体ネットワークサービスの使用のためにそれぞれのセルにログインされることによって、閉鎖的な加入者グループにセルの使用を限定し、あるいは使用を限定することができる方法に関する。
【０００２】
さらに、本発明は、セル端末がセルラシステムの陸上移動体ネットワークサービスを使用するためにログインすることができる複数のセルを有する陸上移動体ネットワークを有するセルラシステムであって、送信されるセル識別子によって各セルを識別することができ、セルの１つが対応する識別子を有し、かつ、セル端末に記憶されている認証セル識別子のポジティブリストとの肯定的一致が得られたときにのみ、セル端末が、陸上移動体ネットワークサービスを使用するためにそれぞれのセルにログインされることによって、閉鎖的な加入者グループにセルの使用を限定し、あるいは使用を限定することができるセルラシステムに関する。
【背景技術】
【０００３】
したがって、いわゆる閉鎖的な加入者グループ（CSG）用のこれらのセルは既知である。これらのCSGセルは、CSGセルから送信されるセル識別子、またはCSGセルによって送信されるセル識別符号（CSG-ID）によって識別される。ユーザ機器（UE）とも呼ばれるセル端末は、セルによって送信されてセル端末（UE）によって受信されるセル識別符号CSG-IDが、セル端末UEをサポートするポジティブリスト（ホワイトリスト）に含まれており、したがってセル端末が閉鎖的な加入者グループ（CSG）に属するものと識別されるときにのみ、そのようなCSGセルにログインすることを試行する。
【０００４】
閉鎖的な加入者グループ（CSG）に属さないセル端末はこのセルにログインできず、その結果、それらのセル端末には陸上移動体ネットワークのサービスの使用が可能でなくなる。緊急呼出しのみを伝送することができる。しかし、ネットワークサービスの通常の使用は可能でない。
【０００５】
欠点として、閉鎖的な加入者グループ用のそのようなセルのオペレータは、望ましい場合でさえ、他のセル端末がそのセルにログインして陸上移動体ネットワークサービスを使用できるようにすることができない。なぜなら、そのようなセルのオペレータは、様々なセル端末に記憶されている認証セル識別子のポジティブリスト（ホワイトリスト）にアクセスできないからである。
【発明の概要】
【発明が解決しようとする課題】
【０００６】
本発明の目的は、他の閉鎖的な加入者グループのメンバーがネットワークにアクセスできるように、かつ／またはオープンネットワークアクセスが可能になるように、セルラ陸上移動体ネットワークの１つまたは複数のセルを操作するための方法および対応するセルラシステムを開発することである。
【課題を解決するための手段】
【０００７】
この目的は、本発明によれば、独立請求項に記載の方法およびセルラシステムによって実現される。本発明の有利な発展形態は、従属請求項に提示される。
【０００８】
セルラ陸上移動体ネットワークの１つまたは複数のセルを操作するための方法であって、送信されるセル識別子によって各セルを識別することができ、セルの１つが対応する識別子を有し、かつ、セル端末に記憶されている認証セル識別子のポジティブリストとの肯定的一致が得られたときにのみ、セル端末が、陸上移動体ネットワークサービスの使用のためにそれぞれのセルにログインされることによって、閉鎖的な加入者グループにセルの使用を限定し、あるいは使用を限定することができる方法において、本発明では、セルが、第１のセル識別子に加えて、１つまたは複数のさらなるセル識別子を並列送信し、それぞれのポジティブリストが第１のセル識別子を含む第１のグループのセル端末が属する第１の閉鎖的な加入者グループによって、セルへのログインおよびネットワークサービスの使用を行うことができ、かつポジティブリストが１つまたは複数のさらなるセル識別子の少なくとも１つを含む１つまたは複数のさらなるグループのセル端末が属する１つまたは複数の他の開放的な加入者グループまたは閉鎖的な加入者グループによって、セルへのログインおよびネットワークサービスの使用を行うことができ、各セル識別子が異なるネットワークサービスの特定のネットワークサービスに専用であり、それぞれのセル端末に対するセル内でのネットワークサービスの１つの利用可能性が、陸上移動体ネットワークへのログインのためにセル端末によってセル識別子のどれかが使用され処理されるかに依存する。
【０００９】
セルラシステムの陸上移動体ネットワークサービスを使用するためにセル端末がログインすることができる複数のセルを備える陸上移動体ネットワークを有するセルラシステムであって、送信されるセル識別子によって各セルを識別することができ、セルの１つが対応する識別子を有し、セル端末に記憶されている認証セル識別子のポジティブリストとの肯定的一致が得られたときにのみ、陸上移動体ネットワークサービスを使用するためにそれぞれのセルにセル端末がログインすることによって、閉鎖的な加入者グループにセルの使用を限定し、または使用を限定することができるセルラシステムにおいて、本発明では、セルが、第１のセル識別子に加えて、１つまたは複数のさらなるセル識別子を並列送信するように設定され、それぞれのポジティブリストが第１のセル識別子を含む第１のグループのセル端末が属する第１の閉鎖的な加入者グループによって、セルへのログインおよびネットワークサービスの使用を行うことができ、かつポジティブリストが１つまたは複数のさらなるセル識別子を含む１つまたは複数の他のグループのセル端末が属する１つまたは複数のさらなる開放的な加入者グループまたは閉鎖的な加入者グループによって、セルでのログインおよびネットワークサービスの使用を行うことができ、各セル識別子が異なるネットワークサービスの特定のネットワークサービスに専用であり、それぞれのセル端末に対するセル内でのネットワークサービスの１つの利用可能性が、陸上移動体ネットワークへのログインのためにセル端末によってセル識別子のどれかが使用され処理されるかに依存する。
【００１０】
したがって、本発明に係る方法および本発明に係るセルラシステムによって、閉鎖的な加入者グループ（CSG）用のセル、いわゆるCSGセルが複数のセル識別符号を送信することができるようになり、それにより、複数の閉鎖的な加入者グループ、すなわちこれらの異なる閉鎖的な加入者グループのメンバーがそのセルへログインして、陸上移動体ネットワークのサービスを使用できるようになる。
【００１１】
好ましくは、第１のセル識別子は、セルの基本識別子である。セルのこの基本識別子またはメイン識別子または実際の識別子は、ただ１つのセル識別符号だけしか検出して処理することができないセル端末との互換性を確立するために使用される。また、送信される第１のセル識別符号がセルの基本識別符号またはメイン識別符号であるので、ただ１つのセル識別符号だけしか取得して処理することができないこれらのセル端末が、このセルにログインして、このセルの内部で陸上移動体ネットワークのサービスを使用することが可能である。
【００１２】
好ましくは、セルは、第１のセル識別子に加えて、少なくとも１つのさらなる特別なセル識別子を並列送信し、それにより、特定のまたは任意の公共陸上移動体ネットワーク（ＰＬＭＮ）に割り当てられたセル端末によって、セルへのログインおよびネットワークサービスの使用を行うことができる。それに従って、本発明に係るシステムでは、好ましくは、セルが、この第１のセル識別子に加えて、このさらなる特別なセル識別子を並列送信するように設定される。
【００１３】
このようにすると、閉鎖的な加入者グループに割り当てられたこのセルを、オープンネットワークアクセスのために開くことができ、すなわち、特定のまたは任意の公共陸上移動体ネットワークの登録ユーザが、自分のセル端末によってこのセルにログインして、陸上移動体ネットワークのサービスを使用することができる。なぜなら、第１のセル識別子に並列送信された特別なセル識別子またはセル識別符号が、公共陸上移動体ネットワークのセル識別子に相当し、したがって、このセル識別子は、この公共陸上移動体ネットワークに登録されたセル端末によって認識されるからである。
【００１４】
好ましくは、セル端末のポジティブリストに含まれるセル識別子に応じて、セル端末によって使用するために異なるまたは特定のネットワークサービスが準備され、および／または利用可能にされる。したがって、特定のまたは選択されたネットワークサービスの準備および／または利用可能性は、送信された異なるセル識別子のどれでセル端末によるセルへのログインが行われるかに応じて決められる。
【００１５】
このようにすると、異なる加入者グループ、特に異なる閉鎖的な加入者グループを区別することができ、異なる加入者グループへの帰属に応じて、異なるサービスを利用可能にすることができる。例えば、サービスの質および／または特別なサービスの利用可能性に関して、特定の加入者グループ、または特定の閉鎖的な加入者グループへの特定のセル端末の帰属に応じて、差異を設けることができる。
【００１６】
あるセル端末が複数の閉鎖的な加入者グループに割り当てられる場合、CSGセル、すなわち閉鎖的な加入者グループ用のセルは、それらの異なる閉鎖的な加入者グループがセル内で使用を許可されるすべてのサービスをこのセル端末によって使用できるようにする。このようにして、異なる閉鎖的な加入者グループに、最大限に多様な段階的な使用認証を設定することができる。
【００１７】
好ましくは、このようにして操作されるセルは、公共陸上移動体ネットワークに接続され、特にブロードバンド接続を介して公共陸上移動体ネットワークに接続される。特に、このようにして操作されるセルは、公共陸上移動体ネットワークによるネットワーク適用範囲がない領域内で公共陸上移動体ネットワークＰＬＭＮを補うことができる。
【００１８】
また、公共陸上移動体ネットワークへの接続によって、特に公共陸上移動体ネットワークへのブロードバンド接続の存在によって、本発明に従って操作されるセルおよび本発明に係るシステムによって、ネットワーク利用可能性を有利に補って拡張することもできる。
【００１９】
本発明の一実施形態を図面に示し、以下に詳述する。
【図面の簡単な説明】
【００２０】
【図１】閉鎖的な加入者グループのみに利用可能なセルを示す図である。
【発明を実施するための形態】
【００２１】
図１は、閉鎖的な加入者グループのみに利用可能なセル１０を示す。したがって、セル１０は、いわゆるCSGセルである。CSGは、閉鎖的な加入者グループを意味する。
【００２２】
図１に概略的に示される例では、CSGセル１０は、ホテルの敷地でホテルチェーンによって操作され、以下の３つの加入者グループがセル１０を介してネットワークサービスにアクセスすることを許可する（グループ内で、それぞれの登録された加入者およびそれぞれ割り当てられたセル端末は区別されない）。
１．公共陸上移動体ネットワークPLMN２０の任意の登録加入者UE１
２．ホテル客UE２
３．ホテル従業員UE３
【００２３】
この場合、CSGセル１０は、３つの異なるセル識別符号CSG_ID１、CSG_ID２、CSG_ID３を並列送信し、上記の３つのグループすべての加入者UE１、UE２、UE３が、並列送信された３つのセル識別符号CSG_ID１、CSG_ID２、CSG_ID３を受信し、それらを、それぞれのセル端末UE１、UE２、UE３に記憶されている認証セル識別符号のポジティブリスト（ホワイトリスト）と比較し、３つの受信されたセル識別子CSG_ID１、CSG_ID２、CSG_ID３の１つとそれぞれのセル端末UE１、UE２、UE３でのポジティブリストの１つまたは複数のエントリとが一致するとき、ネットワークサービスを使用するためにセル１０にログインする。
【００２４】
公共陸上移動体ネットワーク２０にリンクするために、セル１０は、ブロードバンド接続３０を介して公共陸上移動体ネットワーク２０（PLMN）に接続され、この公共陸上移動体ネットワーク２０をホテルチェーンのホテルの敷地で補う。
【００２５】
セル１０内部での特定のネットワークサービスの利用可能性は、並列送信される３つのセル識別符号CSG_ID１、CSG_ID２、CSG_ID３のどれが、陸上移動体ネットワークにログインするためにそれぞれのセル端末UE１、UE２、UE３によって使用されて処理されるかに依存する。
【００２６】
セル１０の第１のセル識別符号CSG_ID１は、基本識別子またはメイン識別子（マスタ）に相当し、これは、ハードウェアの面での制約により、ただ１つのセル識別子しか記憶しておらず、したがってただ１つのセル識別符号しか処理することができないセル端末でも、様々なセル識別子を処理できることを保証して送信される。
【００２７】
ネットワークサービスの使用は、セル１０によって、ホテル客UE２およびホテル従業員UE３が優先的に利用できるようにされ、公共陸上移動体ネットワークＰＬＭＮ２０の加入者UE１は、より低い優先度でのみ利用できる。このようにすると、第一に客UE２および従業員UE３に対して利用可能にされたサービスの利用可能性および質が保証される。また、以下のようにすることで、特定のグループへの帰属に応じてサービスの範囲およびタイプを限定することもできる。すなわち、客UE２には、すべてのネットワークサービスを制限なく利用できるようにし、一方、従業員UE３には、例えば従業員の限定グループUE３内でのみセル接続を確立することを可能にし、外部への、および外部からの私用の通話を遮断する。公共陸上移動体ネットワークＰＬＭＮ２０に登録されている加入者のグループUE１に対しては、十分なネットワーク容量があって、かつホテル客UE２がサービスを一時的に使用していないときにのみ利用可能な基本サービスに使用を限定することができる。
【００２８】
したがって、特定のネットワークサービスの利用可能性は、セル端末UE１、UE２、UE３が反応するそれぞれのセル識別符号CSG_ID１、CSG_ID２、CSG_ID３に依存し、すなわち、特定の加入者グループへの帰属に依存し、および／またはネットワーク負荷、ログインされている加入者の数、日付、時間、選択されるサービス、ダイアルされる番号、特に緊急電話番号などのパラメータに依存する。
【図１】
0005358686.tif 000002